(57)【要約】【課題】 利用者に電圧をかけたり、運動を強制したりすることなく、体の新陳代謝を高めて健康増進に寄与し得る健康増進装置を提供する。【解決手段】  内部に負圧室を形成するとともに、人が出入り可能なハウジング１と、そのハウジング内に負圧を生じさせる負圧発生装置２と、そのハウジング内の上部に形成されて、前記負圧発生装置の作用により該ハウジング内の空気を吸引する空気吸引部３と、ハウジングに形成され、前記負圧発生装置の作動により前記ハウジング内に負圧が作用することに基づき、ハウジング外からハウジング内へ一定の空気の通過を許容してハウジング内の負圧状態を所定の範囲に維持する通気部４とを含む。そして、ハウジング１内の負圧雰囲気の中で、人５から老廃物等を負圧吸引して、新陳代謝を促進する。【選択図】 図１
2005192653.tif 000002
【特許請求の範囲】
【請求項１】
内部に負圧室を形成するとともに、人が出入り可能なハウジングと、
そのハウジング内に負圧を生じさせる負圧発生装置と、
そのハウジング内の上部に形成されて、前記負圧発生装置の作用により該ハウジング内の空気を吸引する空気吸引部と、
ハウジングの少なくとも一部に形成され、前記負圧発生装置の作動により前記ハウジング内に負圧が作用することに基づき、ハウジング外からハウジング内へ一定の空気の通過を許容してハウジング内の負圧状態を所定の範囲に維持する通気部とを含み、
前記ハウジング内に人が入り、ハウジングの上部の空気吸引部から空気を吸引することにより、ハウジングを負圧状態にするとともに前記通気部から一定の空気をハウジング外からハウジング内へ吸引して所定範囲の負圧状態が保たれるなかで、ハウジング内の人体の新陳代謝を促進することを特徴とする健康増進装置。
【請求項２】
前記ハウジングの内部は、底部から上部に向かって水平断面積が小さくなる形態で形成され、前記空気吸引部は水平断面積が小さくなる上部に形成されて、ハウジング内の底部から上部の向かう上昇気流が生じるようにされ、その上昇気流に触れるように前記ハウジング内に人が収容される請求項１に記載の健康増進装置。
【請求項３】
骨格部と、それに被せられた、空気の通過を一定の抵抗を生じつつ許容する通気性を有するシートとを有する、内部に負圧室を形成するテントと、
前記テントのシートに形成された人の出入り口と、
そのテントの頂部に形成された通気吸引部と、
その通気吸引部からテント内の空気をテント外へ吸引することにより前記テント内を負圧にするとともに、その負圧により前記通気性のあるシートを通じてテント外からテント内へ空気を吸引して、テント内を所定範囲の負圧状態に維持する負圧発生装置とを備え、
前記テント内に人が入り、前記所定範囲の負圧状態が保たれた状態で、テント内の人体の新陳代謝を促進することを特徴とする健康増進装置。
【請求項４】
前記テントは、錐体形状をなし、その頂部に前記空気吸引口が形成されるとともに、その錐体形状のテント内に、そのテントの底部から頂部への空気流を生じさせるとともに、その空気流がらせん状にに旋回しつつ上昇するように前記空気吸引口がテント内の空気を吸引する請求項３に記載の健康増進装置。
【発明の詳細な説明】
【発明が属する技術分野】
【０００１】
この発明は、人体の例えば老廃物の排出を促進し、新陳代謝を高める健康増進装置に関するものである。
【従来の技術】
【０００２】
【特許文献１】特開２００２−１１３１１４号公報
【特許文献２】特開２００２−０５２０９２号公報
【０００３】
従来、健康増進器具として、直流負電圧を発生する装身用具を四肢、腰等に装着した状態で、その使用者に負電圧を印加して、体調の改善を図るものが提案されている（特許文献１）。
【０００４】
また別のものとして、ほぼ水平な横棒と、その横棒を床面から所定の高さに支える左右の支柱と、それら支柱間に設置された腰マットとを備え、利用者が腰マットに腰を当てて背骨を矯正するとともに、両手で横棒を握って上体を上下動することにより、中高年あるいはリハビリ中の体力を付け、健康の増進や体力に回復に役立てる健康増進器具も提案されている（特許文献２）。
【発明の開示】
【発明が解決しようとする課題】
【０００５】
特許文献１では、直流負電圧を人体の一部に直接作用させるものであるが、電圧を感じることに抵抗のある利用者にとっては、簡単に利用できない欠点がある。  また、特許文献２では、利用者が上体を上下動させて背骨や四肢等の強化するものであるが、運動用具の延長上のものであって、一定の運動量をこなすのが容易でない。
【０００６】
この発明は、利用者に電圧をかけたり、運動を強制したりすることなく、体の新陳代謝を高めて健康増進に寄与し得る健康増進装置を提供することを課題とする。
【課題を解決するための手段及び発明の効果】
【０００７】
この発明は、内部に負圧室を形成するとともに、人が出入り可能なハウジングと、そのハウジング内に負圧を生じさせる負圧発生装置と、そのハウジング内の上部に形成されて、前記負圧発生装置の作用により該ハウジング内の空気を吸引する空気吸引部と、ハウジングの少なくとも一部に形成され、前記負圧発生装置の作動により前記ハウジング内に負圧が作用することに基づき、ハウジング外からハウジング内へ一定の空気の通過を許容してハウジング内の負圧状態を所定の範囲に維持する通気部とを含み、前記ハウジング内に人が入り、ハウジングの上部の空気吸引部から空気を吸引することにより、ハウジングを負圧状態にするとともに前記通気部から一定の空気をハウジング外からハウジング内へ吸引して所定範囲の負圧状態が保たれるなかで、ハウジング内の人体の新陳代謝を促進することを特徴とする。
【０００８】
このように、ハウジング内の気圧が周りより低く維持されるように、ハウジングの上部から負圧吸引して、そのハウジング内に形成される負圧室で人体をその負圧雰囲気に所定時間保持することにより、その人体の例えば炭酸ガス、新陳代謝による代謝老廃物等が負圧吸引の雰囲気により体外に排出されやすくなり、また体表面からも気化しやすくなる。このような老廃物の排出が促進されることで、酸素、その他の新しいものが体内へ吸収されやすくなり、新陳代謝が促進されて健康増進に寄与できる。
【０００９】
ここで、ハウジングの内部は、底部から上部に向かって水平断面積が小さくなる形態で形成され、前記空気吸引部は水平断面積が小さくなる上部に形成されて、ハウジング内の底部から上部の向かう上昇気流が生じるようにされ、その上昇気流に触れるように前記ハウジング内に人が収容されるようにすることができる。
【００１０】
このようなハウジング内の底部から上部へ向かう上昇気流が生じれば、人体の代謝物（老廃物等）の排出（吸引）、気化等が一層促進され、新陳代謝を高める上で有効となる。
【００１１】
またこの発明のより具体的な構成は、骨格部と、それに被せられた、空気の通過を一定の抵抗を生じつつ許容する通気性を有するシートとを有する、内部に負圧室を形成するテントと、前記テントのシートに形成された人の出入り口と、そのテントの頂部に形成された通気吸引部と、その通気吸引部からテント内の空気をテント外へ吸引することにより前記テント内を負圧にするとともに、その負圧により前記通気性のあるシートを通じてテント外からテント内へ空気を吸引して、テント内を所定範囲の負圧状態に維持する負圧発生装置とを備え、
前記テント内に人が入り、前記所定範囲の負圧状態が保たれた状態で、テント内の人体の新陳代謝を促進することを特徴とする。
【００１２】
上記テントはハウジングの一態様であり、そのテントのシートが一定の通気性、つまり空気吸引部の吸引作用に基づき、テントのシートを介してテント外からテント内へ空気を吸引しつつ、テント内を所定範囲の負圧状態に保つことにより、テント内で人体に過度の負圧状態を与えることなく、上述のように新陳代謝を促進することができる。またテント形態であるから、軽量で場所も余りとらず、移動も容易であり、また分解・収納等も可能となって、保管や流通にも便利である。
【００１３】
ここで、前記テントは、錐体形状をなし、その頂部に前記空気吸引口が形成されるとともに、その錐体形状のテント内に、そのテントの底部から頂部への空気流を生じさせるとともに、その空気流がらせん状にに旋回しつつ上昇するように前記空気吸引口がテント内の空気を吸引するようにすることができる。
【００１４】
その中心分に人体が位置するようにすれば、負圧状態での空気流が人体を取り巻くように旋回して上昇し、人体との接触時間の長く、負圧状態での新陳代謝の機能をより高めることができる。
【発明の実施の形態】
【００１５】
以下、この発明の実施の形態を図面に示す実施例を参照しつつ説明する。
【００１６】
図１に示す健康増進装置は、内部に負圧室を形成するとともに、人が出入り可能なハウジング１と、このハウジング１内に負圧を生じさせる負圧発生装置２と、そのハウジング１内の上部に形成されて、負圧発生装置２の作用により該ハウジング１内の空気を吸引する空気吸引部３と、ハウジング１に形成され、負圧発生装置２の作動によりハウジング１内に負圧が作用することに基づき、ハウジング１外からハウジング１内へ一定の空気の通過を許容してハウジング１内の負圧状態を所定の範囲に維持する通気部４とを含んでいる。
【００１７】
そして、この装置の上記ハウジング１内に人５が入り、ハウジング１の上部の空気吸引部３から空気を吸引することにより、ハウジング１を負圧状態にするとともに通気部３から一定の空気をハウジング外からハウジング内へ吸引して所定範囲の負圧状態が保たれるなかで、ハウジング１内の人体５の新陳代謝を促進するものである。
【００１８】
上記ハウジング１の内部は、底部から上部に向かって水平断面積が小さくなる形態で形成され、空気吸引部３は水平断面積が小さくなる上部に形成されて、ハウジング１内の底部から上部の向かう上昇気流が生じるようにされ、その上昇気流に触れるようにハウジング１内に人５が収容される。
【００１９】
この例でハウジング１はテントで形成され、このテント１は骨組みを構成する骨格部６（図７参照）を備える。この例の骨格部６は、底部の枠、この例では四角い底部枠を形成する底部骨部６ａ、６ｂ、６ｃ及び６ｃと、その底部枠から上方の空気吸引部３に向かって延びる複数本の側部骨部、この例では四角い底部枠の４つの角部から四角錐状にかつ外側に膨らむように円弧状に湾曲した４本の側部骨部６ｄ、６ｅ、６ｆ及び６ｇとを備え、それら側部骨部の上部が上記空気吸引部３の基材３ａに接続されている。上記骨部６ａ〜６ｇの各端部は互いに一体的に連結され、上述のような角錐状（円錐状又は円錐台状、若しくはこれらを外側に膨らませるように湾曲させたものでもよい）、特にこの例では外側に膨らんだ四角錐状の骨格部６が形成されている。
【００２０】
さらにテント１は、骨格部６に形成されたシート７を備え、シート７は空気の通過を一定の抵抗を生じつつ許容する通気性を有するもので、内部に負圧室８を形成する。テント１のシート７には、人の出入り口９が形成され、そのテント１の頂部に上記通気吸引部３が位置する形態となっている。
【００２１】
人の出入り口９は、図２、図３に示すように、テント１のシート７の一部が本体から分離されて開閉可能に形成されたものである。つまり図５に示すように、シート７に一部に人の出入り可能な開口９ａが形成され、これを開閉可能に塞ぐように設けられたカバーシート９ｂにより、人の出入り口９が形成される。この例で開口９ａは、四角錐状の形態の一つの側面に形成され、シートカバー９ｂは上端がシートの本体部に接合され、下側から跳ね上げるように開くことができる。この形態は一例に過ぎず、シートカバー９ｂが横へ開く方式のものでも、下端を接合部として下側へ開くものなど、適宜の形態を採用できる。
【００２２】
図５、図６に示すように、開口９ａを塞ぐカバーシート９ｂは、開口９ａより一回り大きく形成されたもので、外縁部が開口９ａ周辺のシート部に重なり、気密が保ちやすくされている。なお、図６に示すように、開口９ａの周縁部に沿ってシール部９ｃをシート７に設けることもできる。例えば、その開口９ａ周辺のシート部分に、ゴム状の弾性部材を線又は帯状に固着し、シート７内が負圧状態になると、カバーシート９ａがそのシール部９ｃに密着して、開口９からテント１内に空気が流入することを防止ないしは抑制する。
【００２３】
図１に戻って、空気吸引口３からテント１内の空気が吸引されるが、その空気吸引口３は、図７、８に示すように、テント１の骨格部６及びテント１の上端と結合する前記基材３ａと、その基材３ａに形成された開口３ｂとを備えている。基材３ａはブロック状の部材で、その開口３ｂには吸引管としてのフレキシブルなホース１０（図１、図２）が結合され、このホース１０の他端部が、図１、図２に示す前記負圧発生装置２に接続されている。
【００２４】
負圧発生装置２は、前記ホース１０が接続されたケーシング１１と、その内部に設けられた吸引ファン１２と、このファン１２を回転駆動する吸引モータ１３と、そのモータ１３の回転速度を調節しひいては負圧の程度を調節する調節操作部１４とを備えたものであり、そのモータ１３により吸引ファン１２が回転することによって、ホース１０を経てテント１内の空気が吸引されるようになっている。
【００２５】
次に、以上のように構成された健康増進装置の使用方法を説明する。
まず、ハウジングを構成するテント１内に、出入り口９を開けて人５が入る。そして、負圧発生装置２の吸引モータ１３の作動により、吸引ファン１２を回転させて、ホース１０を介してテント１内の空気を吸引して排出口１５から外部に空気を排出する。
【００２６】
それによりテント１内が負圧になり、負圧室が形成される。かつ、その負圧により図４に示すように、通気性のあるシート７を通じてテント１の外から中へ空気が吸引され、テント１内に一定の空気が補填されて、テント１内が所定範囲の負圧状態に維持される。このような所定範囲の負圧状態に保たれる雰囲気に人５が座る等して所定の時間、例えば３０分〜１時間程度の適宜の時間中収容されることにより、人体の新陳代謝を促進して、老廃物を排出する。具体的には、人体５の例えば炭酸ガス、新陳代謝による代謝老廃物等が負圧吸引の雰囲気により吸引されて体外に排出されやすくなり、また体表面からも気化しやすくなる。このような老廃物の排出が促進されることで、代わって酸素、その他の新しいものが体内へ吸収されやすくなり、新陳代謝が促進されて健康増進に寄与できる。
【００２７】
この例では、テント１が錐体形状をなし、その頂部に空気吸引口３が形成されるとともに、その錐体形状のテント１内に、そのテントの底部から頂部への空気流を生じさせるとともに、その空気流が例えばらせん状にに旋回しつつ上昇するように空気吸引口３がテント１内の空気を吸引することができる。その場合、例えば、空気吸引口３の吸引側にらせん状のフィン（風向板）を設けたり、吸引口自体の形状をらせん状に形成し、らせん気流１６が生じて、概念的にはこの中に人５が位置するように、吸引作用を働かせることができる。
【００２８】
テント１のシート７は、所定の目の粗さ（細かさ：メッシュ）を有する通気性のある素材からなり、テント１内が負圧発生装置２により吸引されるのに伴って、外部の空気が一定の抵抗を受けながらテント１内に侵入することで、テント１内が過度に負圧になる（真空に近くなる）ことが防止され、テント１内にいる人５の呼吸も差し支えない程度にできる。具体的には、例えばテント１の外が１気圧であるとすれば、テント１内の負圧は、０．９〜０．９９５気圧程度に維持されることが望ましく、そうすれば、テント１内の人の呼吸にさほど影響が出ず、かつ人５の体から老廃物を蒸発・吸引その他により排出しやすくする効果を両立することが可能となる。つまり、テント１内の気圧が下がった負圧雰囲気にいることで、肺から出てくる炭酸ガス、皮膚等から出てくる炭酸ガス等を排出させやすくなり、そういった老廃物の排出が、新たは酸素等を人体に取り込みやすくなる。
【００２９】
なお、テント１内の負圧調整は、図１に示した吸引モータ１３の回転量を調節する調節操作部１４を適宜操作して、テント１内を適度の負圧状態に維持することができ、テント１の内部又は外側に気圧計（負圧計）等を設けて、負圧の程度を表示することもできる。
【００３０】
また、上記のような手動操作ではなく、マイコン等のコンピュータ等の自動制御手段を使用して、予め設定した負圧状態がテント１内で維持されるように、吸引モータを自動制御することもできる。
【００３１】
さらには、コンピュータ等の制御手段により、負圧の程度を変化させる、例えば周期的に負圧の程度を強めたり弱めたりする制御、あるいは負圧が低い状態を一定時間、次に負圧が高い状態を一定時間等、段階的に負圧の程度を上げていく、あるいは下げていく制御を行うことができる。または段階的ではなく、所定の傾斜で負圧を上げていく（あるいは下げていく）制御を行うように、コンピュータソフトウエアのプラグラムを組んで、それを記憶手段に格納し、そのプログラムをＣＰＵ等の制御手段に実行させて所期の負圧を得ることも可能である。また、健康増進を求める人の個別の状態（症状）に応じて、予め適した負圧の程度、又は変化させるモードを設定しておき、それが達成されるように負圧発生装置２を制御することも可能である。
【図面の簡単な説明】
【００３２】
【図１】本発明の一実施例である健康増進装置を概念的に示す断面図。
【図２】図１の健康増進装置の斜視図。
【図３】図１のテントの平面図
【図４】テントへの空気の吸引を示す説明図。
【図５】人の出入り口のカバーを開けた、図１に対応する斜視図。
【図６】その出入り口の正面図。
【図７】図２等に示すテントの骨格部の一例を示す斜視図。
【図８】図７の平面図。
【符号の説明】
【００３３】
１  テント（ハウジング）
２  負圧発送装置
３  空気吸引口
４  通気部
５  人
６  骨格部
７  シート
９  出入り口
１０  ホース
１１  ケーシング
１２  吸引ファン
１３  吸引モータ
１４  調節操作部
【図１】
2005192653.tif 000003
【図２】
2005192653.tif 000004
【図３】
2005192653.tif 000005
【図４】
2005192653.tif 000006
【図５】
2005192653.tif 000007
【図６】
2005192653.tif 000008
【図７】
2005192653.tif 000009
【図８】
2005192653.tif 000010